(57)【特許請求の範囲】
【請求項１】
ドクターブレードと、前記ドクターブレードを保持するブレード保持体と、前記ブレード保持体を回動自在に支持する回動支持手段と、前記回動支持手段を挟んで前側に備えられたブレード開放用チューブと、後側に備えられたブレード加圧用チューブとを有し、前記ドクターブレードの刃先を抄紙機ロール等のロール表面に圧接して、前記ロール表面に付着した紙滓等の異物を掻き取るドクター装置において、前記ドクターブレードの刃先が一定以上摩耗したことを検知して検知信号を発信する検知手段を備え、
前記検知手段は前記ブレード保持体に設けられて下方へ突出する作用部と、前記ドクターブレードが一定以上摩耗して前記ブレード保持体が前記ブレード開放用チューブを圧縮する方向へ一定以上傾くと前記作用部によって押されるスイッチ部を有するリミットスイッチによって構成されていることを特徴とするドクター装置。
【発明の詳細な説明】
【技術分野】
【０００１】
本発明はドクター装置に係り、特にドクターブレードの刃先を抄紙機ロール等のロール表面に圧接して、ロール表面に付着した紙滓等の異物を掻き取るドクター装置に関するものである。
【背景技術】
【０００２】
この種のドクター装置には特許文献１に示すものがあり、ドクター装置は抄紙機ロール毎に配置され、一つの工場で数十機のドクター装置が備えられていることも珍しくはない。ドクター装置のドクターブレードは摩耗すると掻き取り性能が低下するため交換する必要がある。
従来、ドクターブレードを交換するか否かは目視によって判断している。
【先行技術文献】
【特許文献】
【０００３】
【特許文献１】特開２００６−２０７０６２号公報
【発明の概要】
【発明が解決しようとする課題】
【０００４】
しかしながら、ドクターブレードの交換時期を目視によって正確に判断するのは殆ど不可能であり、何十機というドクター装置のドクターブレードの交換時期を管理するのは困難である。特に抄紙機の作動中において作業員が出入りするのが難しい場所もあり、ドクターブレードを目視できない場合もある。
本発明は上記従来の問題点に着目して為されたものであり、ドクターブレードの交換時期を目視に頼らず正確に判断することができるドクター装置の提供を、その目的とする。
【課題を解決するための手段】
【０００５】
本発明は上記課題を解決するためになされたものであり、請求項１の発明は、ドクターブレードと、前記ドクターブレードを保持するブレード保持体と、前記ブレード保持体を回動自在に支持する回動支持手段と、前記回動支持手段を挟んで前側に備えられたブレード開放用チューブと、後側に備えられたブレード加圧用チューブとを有し、前記ドクターブレードの刃先を抄紙機ロール等のロール表面に圧接して、前記ロール表面に付着した紙滓等の異物を掻き取るドクター装置において、前記ドクターブレードの刃先が一定以上摩耗したことを検知して検知信号を発信する検知手段を備え、前記検知手段は前記ブレード保持体に設けられて下方へ突出する作用部と、前記ドクターブレードが一定以上摩耗して前記ブレード保持体が前記ブレード開放用チューブを圧縮する方向へ一定以上傾くと前記作用部によって押されるスイッチ部を有するリミットスイッチによって構成されていることを特徴とするドクター装置である。
【０００６】
請求項２の発明は、請求項１に記載したドクター装置において、検知手段はブレード保持体に設けられて下方へ突出する作用部と、ドクターブレードが一定以上摩耗してブレード保持体がブレード開放用チューブを圧縮する方向へ一定以上傾くと前記作用部によって押されるスイッチ部を有するリミットスイッチによって構成されていることを特徴とするドクター装置である。
【発明の効果】
【０００７】
本発明のドクター装置では、ドクターブレードの交換時期を目視に頼らず正確に判断することができる。
【図面の簡単な説明】
【０００８】
【図１】本発明の実施の形態に係るドクター装置の部分斜視図である。
【図２】図１のドクター装置の動作を説明するための図である。
【図３】図１のドクター装置の検知動作を説明するための図である。
【図４】図１のドクター装置をコントロールするシステムの構成図である。
【発明を実施するための形態】
【０００９】
本発明の実施の形態に係るドクター装置１を図面にしたがって説明する。このドクター装置１は製紙工場の製造ラインに備えられるものである。
符号３は天板部を示し、この天板部３上にはボトムプレート５が備えられている。ボトムプレート５の両端部には連結ロッド７が架け渡されており、この連結ロッド７はフィンガープレート９の支持穴１０に通されている。従って、フィンガープレート９は連結ロッド７に回動可能に支持されている。連結ロッド７と支持穴１０によって回動支持手段が構成されている。
【００１０】
フィンガープレート９の前端には前端顎部１１が形成されている。また、フィンガープレート９の上面にはトッププレート１３が固定されており、フィンガープレート９とトッププレート１３と前端部分には差し込み溝１７が形成されている。
符号１５はドクターブレードを示し、このドクターブレード１５の後端部分は差し込み溝１７に差し込まれて、トッププレート１３の前端縁と前側顎部１１の間に挟まれている。
フィンガープレート９とトッププレート１３によってブレード保持体が構成されている。
【００１１】
また、フィンガープレート９とボトムプレート５との間には、ブレード開放用チューブ１９とブレード加圧用チューブ２１が備えられている。連結ロッド７と支持穴１０を挟んで、ブレード開放用チューブ１９は前側に備えられ、ブレード加圧用チューブ２１は後側に備えられている。これらのチューブ１９、２１は可撓性材料によって構成されている。
そして、ブレード開放用チューブ１９側を膨張させると、ドクターブレード１５が連結ロッド７を中心として製紙装置のロール２３の表面２５から離れる方向、すなわち開放方向に旋回する。また、ブレード加圧用チューブ２１を膨張させると、ドクターブレード１５は、連結ロッド７を中心としてロール２３の表面２５に押し付けられる方向、すなわち加圧方向に旋回する。
【００１２】
フィンガープレート９には下方へ突出する作用部としての作用杆２７が設けられており、作用杆２７は天板部３に形成された穴２９を通り、その下端部が天板部３の下面から突出している。
天板部３の下面にはリミットスイッチ３１が取り付けられており、このリミットスイッチ３１のスイッチ部３３は作用杆２７の下端部に対向している。
作用杆２７とリミットスイッチ３１によって検知手段が構成されている。
【００１３】
図４に示すように、リミットスイッチ３１はドクター装置１の操作盤３５を介して、統括制御盤３７に接続されている。
ドクター装置１の統括制御盤３７は工場の運転室に設けられた操作タッチパネル４１に接続されている。なお、運転室には各ドクター装置１の動作状況を監視するための監視モニタ３９や操作タッチパネル４１が備えられている。また、統括制御盤３７はドクター装置１が備えられる製造ラインを構成する装置の動作をコントロールするラインコントローラ４３に接続されている。
上記構成と同じドクター装置１がＮｏ．１〜Ｎｏ．７の７台、工場内に配置されている。
【００１４】
ドクター装置１の動作について説明する。
図２に示すようにドクターブレード１５がロール２３に摺接して、ロール２３の表面２５に付着する紙滓等の異物を掻き取る。
図３に示すようにドクターブレード１５が摩耗するに従って、ドクターブレード１５がフィンガープレート９と共に加圧方向（反時計回りの方向）へ旋回する。そして、ドクターブレード１５の刃先が一定以上摩耗すると、作用杆２７がリミットスイッチ３１のスイッチ部３３を押圧する。
【００１５】
リミットスイッチ３１のスイッチ部３３が押圧されると、検知信号が発信される。そして、この検知信号は操作盤３５を介して総括制御盤３７へ伝達されて、監視モニタ３９に例えばＮｏ．２のドクター装置１のドクターブレード１５の刃先が一定以上摩耗したことが表示される。これを、図示しないランプやブザー等によって報知する。
このように、ドクターブレード１５の交換時期を目視に頼らず正確に判断することができる。
【００１６】
以上、本発明の実施の形態について詳述してきたが、具体的構成は、この実施の形態に限られるものではなく、本発明の要旨を逸脱しない範囲における設計の変更などがあっても発明に含まれる。
【産業上の利用可能性】
【００１７】
本発明のドクター装置は機械製造業において利用可能性を有する。
【符号の説明】
【００１８】
１…ドクター装置      ３…天板部
５…ボトムプレート      ７…連結ロッド
９…フィンガープレート      １０…支持穴
１１…前端顎部        １３…トップレート
１５…ドクターブレード
１７…差し込み溝                １９…ブレード開放用チューブ
２１…ブレード加圧用チューブ
２３…ロール        ２５…ロールの表面                ２７…作用杆
２９…天板部の穴                ３１…リミットスイッチ
３３…スイッチ部                    ３５…ドクター装置の操作盤
３７…統括制御盤                    ３９…監視モニタ
４１…操作タッチパネル
【図１】
0006473007.tif 000002
【図２】
0006473007.tif 000003
【図３】
0006473007.tif 000004
【図４】
0006473007.tif 000005